(57)【要約】【課題】構造強度に優れたエアインパクトレンチの打撃部の構造を提供する。【解決手段】  ハンマーケース５１と、ハンマー５５とから構成される打撃部の構造であって、エアモータ７０および出力軸６０が接続されることによって出力軸６０に回動打撃による振動効果を発生させることができ、打撃部５０のハンマーケース５１の一端にはハンマーケース蓋５２が設けられ、半月形のハンマー５５は両端にハンマーケース５１とハンマーケース蓋５２とに枢設される中心軸５７が突設され、ハンマー５５のハンマーケース蓋５２に対応する端部内縁には側部片５８が形成され、側部片５８はハンマー辺縁間に跨設されている。以上の構造によって、構造が簡単で、強度に優れた打撃部５０が構成されている。【選択図】  図４ 
0003112370.tif 000002
【実用新案登録請求の範囲】
【請求項１】
主にハンマーケースと、ハンマーとから構成されるエアインパクトレンチの打撃部の構造であって、
前記打撃部両端には、エアモータおよび出力軸が接続され、
前記打撃部のハンマーケースの出力軸の一端に対応する位置にはハンマーケース蓋が設けられ、ハンマーケースおよびハンマーケース蓋の端面の周縁付近にはハンマーを枢設する軸受が形成され、ハンマーケース蓋の外部端面の軸受に対応する位置には凸状のハンマーケース凸部が形成されてハンマーケースの構造強度を高めており、
前記ハンマーケースの他端にはエアモータと噛合して作動するカムが設けられ、カム周縁にはハンマーと噛合するカム溝が形成され、ハンマーケースとハンマーケース蓋内に設けられるハンマーの両端にはそれぞれ中心軸が形成され、ハンマーのカム溝に対応する位置にはハンマー凸部が形成され、ハンマーのハンマー凸部付近の辺縁には側部片が形成されており、
前記出力軸の一端にはソケットを嵌設する角ドライブが形成され、他端にはアンビル段部が形成され、前記アンビル段部上にはハンマーに対応するアンビル溝部が形成されており、
以上の構造によって、構造が簡単で、強度に優れた打撃部が構成されていることを特徴とするエアインパクトレンチの打撃部の構造。
【考案の詳細な説明】
【技術分野】
【０００１】
本考案はエアインパクトレンチの出力軸に振動打撃を与えるのに用いられる打撃部の構造に関し、打撃部のハンマーに側部片が形成された特殊設計により、有効的にハンマーの強度を高め、打撃過程においてひび割れたり、断裂したりせず、従来技術によるものと比較してエアインパクトレンチの使用寿命を延ばすことができるエアインパクトレンチの打撃部の構造に関する。
【背景技術】
【０００２】
エアレンチは迅速且つ確実にボルトやナットなどの締緩を行うことができる手工具であり、主に高圧空気によって作動するモータによって打撃部を作動し、打撃部がアンビルを打撃して出力軸を振動回動させるものであり、振動力を利用してボルトやナットなどの締緩を行うことができる。従来技術によるエアインパクトレンチの打撃部の構造としては、例えば図１、２、３に示すものがあり、打撃部１０は主にハンマーケース１１と、ハンマー１６とから構成され、コ型のハンマーケース１１の開口端部にはハンマーケース蓋１２が設けられ、ハンマーケース１１およびハンマーケース蓋１２の端面の周縁付近にはハンマー１６を枢設する軸受１１０が形成され、ハンマーケース１１のハンマーケース蓋１２と反対の端部はカムによってエアモータ（図なし）と接続され、カム１３周縁にはハンマー１６と嵌合されるカム溝１４が形成され、ハンマーケース１１とハンマーケース蓋１２との内部に設置されるハンマー１６にはカム溝１４に嵌合される凸部１７が形成され、ハンマー１６は両端にハンマーケース１１とハンマーケース蓋１２とに枢設される中心軸１８を備え、ハンマー１６が打撃部１０内に貫設された出力軸２０のアンビル段部２５を動かすことができるのだが、アンビル段部２５上にはアンビル溝部２６が形成されており、ハンマー１６が回動して出力軸２０を打撃するのに利用され、それによってソケットを通じてボルトやナットなどの締緩を行う。
【０００３】
しかし、従来技術による打撃部の設計には問題が存在する。ハンマー１６は半月型の孤状体であるので、回動して打撃の動作を行うとき、全ての応力はハンマー１６両側の辺縁に集中し、ハンマー１６は回動過程において、変形してしまうという問題が発生し、打撃過程における振動によって容易にひび割れたり断裂したりしてしまい、ハンマー１６が引っ掛かって打撃がスムーズに行われない状況が発生してしまい、エアーインパクトレンチの正確な運転に影響を及ぼし、さらにはエアインパクトレンチの破損をももたらし、使用寿命を短くしている。
【０００４】
上述の説明からわかるように、従来技術によるエアインパクトレンチの構造には構造が簡単で、強度に優れたハンマーが備わっておらず、普遍的に構造強度不足および容易に変形して引っ掛かって動作がスムーズに行われなくなってしまう現象が発生するという問題が存在するので、改良を施し、運転の正確性を高め、使用寿命を延ばす必要がある。
【０００５】
そこで本考案の考案者は上述の問題に鑑み、長期に渡る研究および試作によって、ついに構造強度に優れ、ハンマーがひび割れて打撃時にハンマーが引っ掛かって動作がスムーズに行われなくなる現象の発生減らし、使用寿命を延ばすことができるエアインパクトレンチの打撃部の構造を案出した。
【考案の開示】
【考案が解決しようとする課題】
【０００６】
本考案の目的は、構造強度を高め、ひび割れて引っ掛かって動作がスムーズに行われなくなる現象の発生を防止でき、使用寿命を延ばすことができるエアインパクトレンチの打撃部の構造を提供することにある。
【課題を解決するための手段】
【０００７】
上記課題を解決するため、本考案による打撃部は、主にハンマーケースと、ハンマーとから構成され、打撃部両端には、エアモータおよび出力軸が接続されている。
【０００８】
打撃部のハンマーケースの出力軸の一端に対応する位置にはハンマーケース蓋が設けられ、ハンマーケースおよびハンマーケース蓋の端面の周縁付近にはハンマーを枢設する軸受が形成され、ハンマーケース蓋の外部端面の軸受に対応する位置には凸状のハンマーケース凸部が形成されてハンマーケースの構造強度を高めている。
【０００９】
ハンマーケースの他端にはエアモータと噛合して作動するカムが設けられ、カム周縁にはハンマーと噛合するカム溝が形成され、ハンマーケースとハンマーケース蓋内に設けられるハンマーの両端にはそれぞれ中心軸が形成され、ハンマーのカムのカム溝に対応する位置には凸部が形成され、ハンマーの凸部付近の辺縁には側部片が形成されている。
【００１０】
上述の構造によって構造強度を大幅に高めることができ、有効的に打撃動作中におけるハンマーのひび割れや断裂を防止し、引っ掛かって打撃動作がスムーズに行われなくなる現象の発生を防止でき、同時に使用寿命を延ばし、経済価値を高めることができる。
【考案の効果】
【００１１】
本考案によると、一般のエアインパクトレンチと同様の機能と作用を達成できる以外に、ハンマーの辺縁間に側部片を形成したことにより、構造強度を高め、応力が集中して破損するのを防止でき、ハンマーが振動によってひび割れたり、断裂したりする現象を減少でき、さらに引っ掛かって打撃動作がスムーズに行われなくなる問題の発生も減少でき、有効的に使用寿命を延ばすことができた。
【考案を実施するための最良の形態】
【００１２】
本考案の構成、特徴およびその他目的をさらに明らかにするために、図を参照しながらその実施形態の詳細な説明を行う。下記の説明は本考案の好適な実施形態を示すものであり、本考案の範囲を限定するものではなく、本考案の主旨に基づいた如何なる修飾や変更などは全て本考案の保護範囲に含まれる。
【００１３】
本考案は構造が簡単で、構造強度に優れたエアインパクトレンチの打撃部の構造に関し、図４に示すように、打撃部５０は主に、ハンマーケース５１と、ハンマー５５とから構成されている。打撃部５０両端にはエアモータ７０および出力軸６０（図７を参照）が接続されており、打撃部５０内のハンマー５５はエアーモータ７０によって正、逆方向に回動でき、打撃部５０がハンマー５５を利用して出力軸６０を作動し、回動振動の方式によってボルトやナットなどの締緩を行う。以上の構造および作動原理は従来技術のエアインパクトレンチと同一であり、本考案の特徴を示さないので、詳細な説明は行わない。
【００１４】
本考案の詳細な説明に関しては、図４、５、６、７に示すように、打撃部５０のハンマーケース５１は、断面がコ型の円柱体から製造され、ハンマーケース５１の出力軸６０に対応する一端にはハンマーケース蓋５２が設けられ、ハンマーケース５１およびハンマーケース蓋５２の端面に対応する周縁付近には対応する軸受１１０が形成され、ハンマー５５が枢設されている。ハンマーケース蓋５２の外部端面の軸受に対応する位置には凸状のハンマーケース凸部５１０（図６を参照）が形成されており、ハンマーケース５１の軸受１１０の耐応力を向上させて構造強度を高めている。
【００１５】
ハンマーケース５１の他端にはエアモータ７０と噛合して作動するカム５３が設けられ、カム５３周縁にはハンマー５５と噛合するカム溝５４が形成され、ハンマーケース５１とハンマーケース蓋５２との内部に設けられるハンマー５５の両端にはそれぞれ中心軸５７が形成され、ハンマー５５のカム溝５４に対応する位置にはハンマー凸部５６が形成され、ハンマー凸部５６は丁度カム５３のカム溝５４と噛合している。ハンマー５５のハンマー凸部５６付近の辺縁には側部片５８が形成されており、ハンマ−５５の両側片間を接続している。
【００１６】
出力軸６０の一端にはソケットを嵌設する角ドライブが形成され、他端にはアンビル段部６５が形成され、アンビル段部６５上にはハンマー５５に対応するアンビル溝部６６が形成されており、打撃による振動を発生させる。
【００１７】
以上の構造によって、構造が簡単で、強度に優れた打撃部が構成されている。
【００１８】
本実施形態を実際に運用するとき、図７に示すように、高圧空気がエアモータ７０に進入した後、カム５３が打撃部５０のハンマー５５と噛合していることによって、ハンマー５５回動時、出力軸６０アンビル段部６５のアンビル溝部６６を打撃でき、出力軸６０を振動させてボルトやナットなどの締緩を行う。
【００１９】
本実施形態は一般のエアインパクトレンチと同様の機能と作用を達成できる以外に、ハンマー５５の辺縁間に側部片５８を形成したことにより、構造強度を高め、応力が集中して破損するのを防止でき、ハンマー５５が振動によってひび割れたり、断裂したりする現象を減少でき、さらに引っ掛かって打撃動作がスムーズに行われなくなる問題の発生も減少でき、有効的に使用寿命を延ばすことができた。
【００２０】
本考案の特殊な設計によって、エアインパクトレンチの構造強度を高め、使用寿命を延ばすことができ、本考案は確実に新規性および進歩性を備え、同様の技術領域において同一または近似の製品の公開および使用は未だされていない。
【図面の簡単な説明】
【００２１】
【図１】従来技術によるエアインパクトレンチの打撃部の構造を示す立体分解図である。
【図２】従来技術によるエアインパクトレンチのハンマーを示す斜視図および平面図である。
【図３】従来技術によるエアインパクトレンチのハンマーとハンマーケースを示す斜視図である。
【図４】本考案によるエアインパクトレンチの打撃部の構造を示す立体分解図である。
【図５】本考案によるエアインパクトレンチのハンマーを示す斜視図および平面図である。
【図６】本考案によるエアインパクトレンチのハンマーとハンマーケースを示す斜視図である。
【図７】本考案によるエアインパクトレンチの打撃部の組立後の状態を示す側面断面図である。
【符号の説明】
【００２２】
５０    打撃部
５１    ハンマーケース
５１０  ハンマーケース凸部
５２    ハンマーケース蓋
５３    カム
５４    カム溝
５５    ハンマー
５６    ハンマー凸部
５７    中心軸
５８    側部片
６０    出力軸
６５    アンビル段部
６６    アンビル溝部
７０    エアモータ
【図１】
0003112370.tif 000003
【図２】
0003112370.tif 000004
【図３】
0003112370.tif 000005
【図４】
0003112370.tif 000006
【図５】
0003112370.tif 000007
【図６】
0003112370.tif 000008
【図７】
0003112370.tif 000009